(57)【要約】【課題】酸素溶解水の生成構造を簡単にし、高濃度の酸素溶解水を得易く、ランニングコストを安価にする。【解決手段】酸素溶解水生成室内に、水取入口から放出される落下水にガス取入口から放出された酸素ガスを混入して、酸素溶解水滴を形成する水滴形成用貫通穴を多数分散配設した酸素溶解水滴形成用仕切壁２５を複数個、上方から下方へ順次所定距離離して分散配設し、その上方に設置する酸素溶解水滴形成用仕切壁２５の穴径より、下方に設置する酸素溶解水滴形成用仕切壁２５の穴径を小さくする。又、遠赤外線放射材を多数充填した酸素溶解水クラスター変換部２６を設け、更にケースの側壁外面に遠赤外線放射材を被覆した酸素溶解水クラスター変換部３１を設ける。【選択図】  図１
2008104938.tif 000002
【特許請求の範囲】
【請求項１】
上下壁と側壁とを有するケースを用い、その上壁付近の壁部に、水を外部から取り入れる水取入口と、酸素ガスを外部から取り入れるガス取入口とを設け、そのケース内の上側空間を水に酸素ガスを混入し、酸素溶解水を生成する酸素溶解水生成室にし、その下側空間を酸素溶解水を貯える酸素溶解水貯水室にし、その下壁付近の壁部に酸素溶解水を外部に取り出す酸素溶解水取出口を設けてなる酸素溶解水生成器であって、上記酸素溶解水生成室の水取入口に外部から圧送水を供給し、更にそのガス取入口に外部から圧送水の水圧より高い圧力の酸素ガスを供給し、その酸素溶解水生成室内に、水取入口から放出される落下水にガス取入口から放出された酸素ガスを混入して、酸素溶解水滴を形成する水滴形成用貫通穴を多数分散配設した酸素溶解水滴形成用仕切壁を複数個、上方から下方へ順次所定距離離して分散配設し、その上方に設置する酸素溶解水滴形成用仕切壁の穴径より、下方に設置する酸素溶解水滴形成用仕切壁の穴径を小さくすることを特徴とする酸素溶解水生成器。
【請求項２】
酸素溶解水貯水室内に、遠赤外線放射材を多数充填した酸素溶解水クラスター変換部を設け、そのクラスター変換部より上部を酸素溶解水の水位変動部、そのクラスター変換部より下部を変換した小クラスターの酸素溶解水を貯える給水部にすることを特徴とする請求項１記載の酸素溶解水生成器。
【請求項３】
ケースの側壁外面に遠赤外線放射材を被覆した酸素溶解水クラスター変換部を設けることを特徴とする請求項１又は２記載の酸素溶解水生成器
【請求項４】
遠赤外線放射材としてグラファイトシリカを用いることを特徴とする請求項２又は３記載の酸素溶解水生成器。
【請求項５】
請求項１、２、３又は４記載の酸素溶解水生成器を備えることを特徴とする酸素溶解水生成装置。
【発明の詳細な説明】
【技術分野】
【０００１】
本発明は、地下水、水道水、雨水等の自然水を高濃度の酸素溶解水に生成できる酸素溶解水生成装置、特にその酸素溶解水生成器に関する。
【背景技術】
【０００２】
一般に、植物の成長を促進し、品質の向上、収穫量の増加を計るには、根に必要量の酸素を供給しなければならない。しかし、施設園芸等において、多量の水を用い、水耕栽培、点滴栽培等をする場合、通常地下水を利用しているが、地下水は地表水等と比べて植物の生長に必要な溶解酸素量が少ない。そこで、水に酸素を溶解させる方法として、大気の曝気、過酸化水素の補充、純酸素の曝気、酸素富化膜の利用等が行われている。
【発明の開示】
【発明が解決しようとする課題】
【０００３】
しかしながら、いずれの方法にも、酸素溶解水を生成するための構造が複雑であり、ランニングコストが高い等の問題がある。
【０００４】
本発明は、このような従来の問題点に着目してなされたものであり酸素溶解水の生成構造が簡単で、高濃度の酸素溶解水を得易く、ランニングコストが安い酸素溶解水生成器並びに酸素溶解水生成装置を提供することを目的とする。
【課題を解決するための手段】
【０００５】
上記目的を達成するために、本発明による酸素溶解水生成器は上下壁と側壁とを有するケースを用い、その上壁付近の壁部に、水を外部から取り入れる水取入口と、酸素ガスを外部から取り入れるガス取入口とを設け、そのケース内の上側空間を水に酸素ガスを混入し、酸素溶解水を生成する酸素溶解水生成室にし、その下側空間を酸素溶解水を貯える酸素溶解水貯水室にし、その下壁付近の壁部に酸素溶解水を外部に取り出す酸素溶解水取出口を設ける。
【０００６】
そして、上記酸素溶解水生成室の水取入口に外部から圧送水を供給し、更にそのガス取入口に外部から圧送水の水圧より高い圧力の酸素ガスを供給し、その酸素溶解水生成室内に、水取入口から放出される落下水にガス取入口から放出される酸素ガスを混入して、酸素溶解水滴を形成する水滴形成用貫通穴を多数分散配設した酸素溶解水滴形成用仕切壁を複数個、上方から下方へ順次所定距離離して分散配設し、その上方に設置する酸素溶解水滴形成用仕切壁の穴径より、下方に設置する酸素溶解水滴形成用仕切壁の穴径を小さくする。
【０００７】
又、上記酸素溶解水貯水室内に、遠赤外線放射材を多数充填した酸素溶解水クラスター変換部を設け、そのクラスター変換部より上部を酸素溶解水の水位変動部、そのクラスター変換部より下部を変換した小クラスターの酸素溶解水を貯える給水部にすると好ましくなる。
【０００８】
又、上記ケースの側壁外面に遠赤外線放射材を被覆した酸素溶解水クラスター変換部を設けるとよい。
又、上記遠赤外線放射材としてグラファイトシリカを用いるとよい。
【０００９】
又、本発明による酸素溶解水生成装置には上記酸素溶解水生成器を備え付けるとよい。
【発明の効果】
【００１０】
本発明の酸素溶解水生成器は、外部から圧送水を供給し、更に外部からその圧送水の水圧より高い圧力の酸素ガスを供給することにより、水取入口から放出される落下水をガス取入口から放出される酸素ガスで吹き飛ばす等して、上方に配設した酸素溶解水滴形成用仕切壁の上面に分散し、その落下途中や上面との衝突、更には仕切壁に分散配設した多数の各貫通穴の通過等により、水と酸素ガスとの接触面積を増やすことができる。それ故、水中に酸素ガスを良好に混入でき、各貫通穴から夫々落下させると、多量の酸素を溶解し、多量のマイナスイオンを含んだ酸素溶解水滴を簡単に形成できる。
【００１１】
そして、その酸素溶解水滴は下方に配設した酸素溶解水滴形成用仕切壁の上面へと落下するが、同様にして水中に酸素ガスを混入できるので、各貫通穴から夫々落下させると、更に多量の酸素を溶解し、多量のマイナスイオンを含んだ酸素溶解水滴を簡単に形成できる。その際、酸素溶解水生成室内に、水滴形成用貫通穴を多数分散配設した酸素溶解水滴形成用仕切壁を複数個、上方から下方へ順次所定距離離して分散配設し、その上方に設置する酸素溶解水滴形成用仕切壁の穴径より、下方に設置する酸素溶解水滴形成用仕切壁の穴径を小さくすることにより、落下の途中で水滴を順次小さくして行き、酸素ガスとの接触面積を増やすことができる。それ故、酸素溶解水の生成構造が簡単になり、その生成構造によって水中に酸素ガスを混入し易く、マイナスイオンを生成し易くなって、多量の酸素を溶解し、多量のマイナスイオンを含んだ高濃度の酸素溶解水を簡単に生成できて、ランニングコストも安価になる。
【００１２】
又、酸素溶解水貯水室内に、遠赤外線放射材を多数充填した酸素溶解水クラスター変換部を設け、そのクラスター変換部より上部を酸素溶解水の水位変動部、下部を変換した小クラスターの酸素溶解水を貯える給水部とすることにより、多量の酸素を溶解し、多量のマイナスイオンを含んだ酸素溶解水に遠赤外線を当てて、酸素溶解水のクラスターを小さくし、植物の根から吸収され易く、植物の生長に好適な小クラスターの酸素溶解水にすることができる。しかも、クラスターを小さくすると酸素溶解度を高めることができる。そして、酸素溶解水貯水室の酸素溶解水クラスター変換部より上部を水位変動部にして、酸素溶解水の水位を変動させても、遠赤外線放射材を多数充填したクラスター変換部内に絶えず酸素溶解水を満たしておくと、酸素ガスの大きな気泡が遠赤外線放射材に邪魔されて、下部の給水部まで通過することがない。それ故、取出口から給水される酸素溶解水に溶解状態にない酸素ガスの大きな気泡が含まれず、酸素ガスの利用率を上げることができる。
【００１３】
又、ケースの側壁外面に遠赤外線放射材を被覆した酸素溶解水クラスター変換部を設けることにより、外部に設けた酸素溶解水クラスター変換部で発生した遠赤外線を側壁を通過させて、ケース内部の酸素溶解水に当てて、やはりクラスターを小さくし、小クラスターの酸素溶解水にすることができる。
【００１４】
又、遠赤外線放射材として、グラファイトシリカを用いることにより、そのグラファイトシリカが４０℃以下の常温で放射する強力な遠赤外線を酸素溶解水に当てて、クラスターを小さくし、小クラスターの酸素溶解水にすることができる。
【００１５】
又、そのような酸素溶解水生成器を備えることにより、酸素溶解水生成装置を簡単に製造ことができる。
【発明を実施するための最良の形態】
【００１６】
以下、添付の図１〜７を参照して、本発明の実施の最良形態を説明する。
図１は本発明を適用した酸素溶解水生成装置の酸素溶解水生成部を示す正面図、図２はその酸素溶解水生成装置の構成を示すブロック図である。この酸素溶解水生成装置１は酸素溶解水生成の中心として、酸素溶解水生成部２に酸素溶解水生成器３を備える。そして、酸素溶解水生成器３のケース４を構成するため、その側壁部材５として、例えば図３、４に示すような外径が２１６ｍｍ、内径が１９４ｍｍ、高さが７００ｍｍの塩化ビニール等のプラスチック製円筒体を用いる。又、その上下開口６、７を夫々覆う上下蓋８、９として、例えば図５、６に示す大きさが等しく１辺の長さが２５０ｍｍの略正四角形状の板体を用いる。すると、上下蓋８、９の円形中央部１０、１１をケース４の上下壁部材として用い、その周囲部分を側壁部材５に上下壁部材を一体に結合してケース４を形成する際の結合用鍔部１２、１３にできる。
【００１７】
そこで、上蓋７の中央部１０には、その中心に水を外部からケース４に取り入れる口径の大きな貫通穴を水取入口１４として設け、その水取入口１４より離して外側に酸素ガスを外部からケース４に取り入れる口径の小さな貫通穴をガス取入口１５として設ける。そして、上蓋８の中央部１０の下面に、３本の各長さが例えば４００ｍｍの支持棒１６（１６ａ、１６ｂ、１６ｃ）を水取入口１４より外側の３方にいずれも等距離離し、正三角形状に配置して、下面に垂直となるように突設する。又、上蓋８の中央部下面の最外側部に、水取入口１４を中心にしてガス取入口１５、支持棒１６の設置箇所等の外側を取り囲む円形溝１７を設け、そこにシール部材となるＯリング１８を嵌めて配設する。又、上蓋８の結合用鍔部１２の各４隅付近に、結合用貫通穴１９（１９ａ、…１９ｄ）を夫々設ける。
【００１８】
又、下蓋９の中央部１１に、上蓋８の中央部１０に設けた水取入口１４、ガス取入口１５と同一位置に対応させて、酸素溶解水をケース４から外部に取り出す酸素溶解水取出口２０、酸素溶解水の水位検出用チューブ２１との接続口２２を夫々設ける。又、下蓋９の中央部１１の上面に、上蓋８に設けた支持棒１６の設置箇所と同一位置に対応させて、３本の各長さが例えば２５０ｍｍの支持棒２３(２３ａ、２３ｂ、２３ｃ)を酸素溶解水取出口２０から離し、正三角形状に配置して、上面に垂直となるように突設する。又、下蓋９の中央部上面の最外側部に、上蓋８に設けた円形溝１７、Ｏリング１８と同一位置に対応させて、水取入口２０を中心にして、チューブ接続口２２、支持棒２３の設置箇所等の外側を取り囲む円形溝５６を設け、そこにシール部材となるＯリング５７を嵌めて配設する。又、下蓋９の結合用鍔部１３の各４隅付近に、上蓋８の結合用鍔部１２に設けた各結合用貫通穴１９と同一位置に対応させて、結合用貫通穴２４（２４ａ、…２４ｄ）を夫々設ける。
【００１９】
そして、ケース４の内部の上側空間を水に酸素ガスを混入し、酸素溶解水を生成する酸素溶解水生成室にし、その下側空間を酸素溶解水を貯える酸素溶解水貯水室にする。そこで、酸素溶解水生成室内に、水取入口１４から放出される落下水にガス取入口１５から放出される酸素ガスを混入して、酸素溶解水滴を形成する水滴形成用貫通穴（図示なし）を多数分散配設した酸素溶解水滴形成用仕切壁２５を複数個、上方から下方へ順次所定距離離して分散配設し、その上方に設置する酸素溶解水滴形成用仕切壁２５の穴径より、下方に設置する酸素溶解水滴形成用仕切壁２５の穴径を小さくする。
【００２０】
その際、酸素溶解水生成室内に分散配設する酸素溶解水滴形成用仕切壁２５として、例えば側壁用円筒体５の内径より若干小さな径を有する厚さ１ｍｍ程の金属製円板体を３枚用いる。そして、上位に配置する酸素溶解水滴形成用仕切壁２５ａには、その全面にパンチングにより直径５ｍｍの水滴形成用貫通穴を多数、隣接する穴同士を近接状態にして分散配設する。又、中位に配置する酸素溶解水滴形成用仕切壁２５ｂには、その全面にパンチングにより直径３ｍｍの水滴形成用貫通穴を同様にして配設する。又、下位に配置する酸素溶解水滴形成用の仕切壁２５ｃには、その全面にパンチングにより直径１ｍｍの水滴形成用貫通穴を同様にして配設する。なお、各個の穴形状はいずれも円錐台状にして上方より下方に行く程順次径を大きくして水切りを良くし、水滴を形成し易くする。
【００２１】
そして、上蓋８の下面に突設した３本の支持棒１６に対し、その下面より上位、中位、下位の各酸素溶解水滴形成用仕切壁２５を上方から下方へ順次１００ｍｍずつ離して水平に取り付け分散配設する。又、酸素溶解水貯水室内に、遠赤外線放射材を多数充填した酸素溶解水クラスター変換部２６を設け、その酸素溶解水クラスター変換部２６と、下位に配置した酸素溶解水滴形成用仕切壁２５ｃとの間の部分を貯える酸素溶解水の水位変動を可能にする水位変動部２７、その酸素溶解水クラスター変換部２６より下部側を変換した小クラスターの酸素溶解水を貯える給水部２８にする。なお、上位、中位、下位の各酸素溶解水滴形成用仕切壁２５の取り付け位置は当然変更できる。
【００２２】
そこで、酸素溶解水クラスター変換部２６を形成するためのケースとして、例えば直径を側壁用円筒体５の内径より若干小さくし、高さを１５０ｍｍにした円柱状のかご体２９を用いる。その際、かご体２９の上下壁部材として、例えば穴径が５ｍｍのパンチングメタルを用いる。そして、かご体２９を下蓋９の上面に突設した３本の支持棒２３の中央部に取り付け、そのかご体２９の内部に遠赤外線放射材として、例えばグラファイトシリカの粉末を珪石の粉末と一緒に焼結したセラミックボール３０を多数充填する。又、側壁用円筒体５の外周面のほぼ全体に遠赤外線放射材として、例えばグラファイトシリカの粉末を被覆した酸素溶解水クラスター変換部３１を設ける。
【００２３】
このグラファイトシリカ（学術名）はシリカブラックとも呼ばれて、北海道桧山郡上ノ国天の川上流より産出され、表１に示す通り、天然ミネラル特にシリカを豊富に含み、常温（４０℃以下）で鉄等の金属を通す強力な遠赤外線を多量に放射する鉱石である。それ故、グラファイトシリカから放射される遠赤外線を水に当てると、水のクラスター（分子集団）を効率良く分解し、小クラスターの水に変換することができる。
【表１】
2008104938.tif 000003
長野県下伊那郡喬木村６７１４番地１  松島光陽化学株式会社提供                  
【００２４】
酸素溶解水生成部２の組立時、先ず側壁用円筒体５の上開口６を上蓋８で閉じて、その円筒体５の上側空間内に上蓋８の下面から下方に突設した３本の支持棒１６と３枚の酸素溶解水滴形成用仕切壁２５との組立体を挿入し、更に下開口７を下蓋９で閉じて、その円筒体５の下側空間内に下蓋９の上面から上方に突設した３本の支持棒２３と酸素溶解水クラスター変換部２６との組立体を挿入する。そして、必要箇所にねじ溝を設けた長さが例えば１０００ｍｍの結合棒３２（３２ａ、…３２ｄ）を４本用い、それ等の各結合棒３２を上下蓋８、９の４隅付近に設けた対応する貫通穴１９、２４に夫々挿通し、ナット３３、ワッシャ３４等の締め付け結合部材を用いて、側壁用円筒体５に上下蓋８、９を結合する。すると、ケース４を完成すると同時に、そのケース４内に内部構造を備えた酸素溶解水生成器３を完成し、その下側に４本の結合棒３２の各下部側を突出して、酸素溶解水生成器３を４本の足付きにできる。
【００２５】
そこで、酸素溶解水生成器３を支えるため、図７に示す支持台３５を用いる。この支持台３５には水平部と垂直部とを有し、例えば長さが４００ｍｍ、幅が４０ｍｍのＬ形断面状部材３６を４本用いる。そして、左右に離して平行に並べた２本の縦部材３６ａ、３６ｂの間に、前後に離して平行に並べた２本の横部材３６ｃ、３６ｄを掛け渡して結合し、その各横部材３６ｃ、３６ｄの中央部付近に２個ずつ結合用貫通穴３７（３７ａ、…３７ｄ）を設けて支持台３５を形成する。すると、酸素溶解水生成器３を支える支持用足の各先端部を、支持台３５の対応する各貫通穴３７に夫々挿通し、ナット３３、ワッシャ３４等の締め付け結合部材を用いて、支持台３５に強固に固定できる。なお、使用時には支持台３５の最下部付近をコンクリートに埋設する等し、酸素溶解水生成器３の中心線を垂直にして立設するとよい。
【００２６】
又、酸素溶解水生成器３に対し、その生成器３と外部配管との接続用として、上蓋８の水取入口１４に送水配管との接続用端部を有する屈曲管継手３８の他端部を接続し、更にガス取入口１５に酸素ガス配管とのボール弁付き接続用端部を有する三方管継手３９の他端部を接続する。又、下蓋９の水取出口２０に給水配管との接続用端部を有する屈曲管継手４０の他端部を接続し、更に接続口２２に水位検出用チューブ２１との接続用端部を有する三方管継手４１の他端部を接続する。そして、水位検出用チューブ２１として例えば耐水性ポリウレタンチューブを用い、そのチューブ２１を三方管継手３９の残りの一端部と三方管継手４１のチューブ接続用端部とに接続し、酸素溶解水生成器３に沿わせ、その近傍に垂直に配管する。すると、酸素溶解水生成部２が完成する。なお、三方管継手４１の残りの一端部はボール弁付きにし、排水時に弁を開ける。
【００２７】
このような酸素溶解水生成部２に対し、送水配管４２、酸素ガス配管４３、給水配管４４等を接続する。そして、水源として例えば地下水を用い、その送水配管４２に水を加圧して送り出すポンプ４５、水中に含まれる鉄、マンガン、砂等を除去するフィルタ４６、逆止弁４７を備えて、圧送水を酸素溶解水生成器３に送り込む。その際、ポンプ４５として、例えば送水圧力２〜３ｋｇ／平方ｃｍ、毎分吐出量３０〜４０リットルの電動ポンプを用いる。なお、地下水の水温は浅井戸が１６〜１７℃、深井戸が１３〜１４℃である。
【００２８】
又、酸素ガス源として例えば３０ｋｇの酸素ボンベ４８を用い、その酸素ガス配管４３に減圧弁等のレギュレーター４９、電磁弁５０を備えて、圧力の高い酸素ガスを酸素溶解水生成器３に送り込む。その際、酸素ボンベ４８のガス圧をレギュレーター４９により減圧し、水圧より高い圧力例えば１ｋｇ／平方ｃｍ高い圧力に調整する。又、電磁弁５０にはその弁開閉制御用に光センサー等の水位センサー５１付きのコントローラ５２を備え付ける。すると、酸素溶解水生成室内の酸素量が少ないと送水配管４２から供給される水量が増加し、酸素量が多いと供給される水量が減る。そこで、酸素溶解水生成器３に貯まる酸素溶解水の水位が設定した、例えば点線位置まで上昇してきたことを、水位検出用チューブ２１内の水位が連動するので、その水位をセンサー５１で検出し、コントローラ５２から信号を送って電磁弁５０を開く。それ故、水位変動の範囲を一定に保つことができる。なお、コントローラ５２は市販品の組み合わせによって簡単に作れる。
【００２９】
使用時に、このような酸素溶解水生成器３に外部から圧送水を供給し、更に外部からその圧送水の水圧より高い圧力の酸素ガスを供給すると、水取入口１４から放出される落下水をガス取入口１５から放出される酸素ガスで吹き飛ばす等して、上位に配設した酸素溶解水滴形成用仕切壁２５ａの上面に分散し、その落下途中や上面との衝突、更には仕切壁２５ａに分散配設した多数の各貫通穴の通過等により、水と酸素ガスとの接触面積を増やすことができる。それ故、水中に酸素ガスを良好に混入でき、各貫通穴から夫々落下させると、多量の酸素を溶解し、多量のマイナスイオンを含んだ酸素溶解水滴を簡単に形成できる。
【００３０】
そして、その各酸素溶解水滴は中位に配設した酸素溶解水滴形成用仕切壁２５ｂの上面へと落下するが、同様にして水中に酸素ガスを混入できるので、各貫通穴から夫々落下させると、更に多量の酸素を溶解し、多量のマイナスイオンを含んだ酸素溶解水滴を簡単に形成できる。又、下位に配設した酸素溶解水滴形成用仕切壁２５ｃについても同様である。その際、上位、中位、下位と、上方より下方に向って設置する酸素溶解水滴形成用仕切壁２５の各貫通穴の穴径を順次小さくすることにより、落下途中の所定箇所に設置されている各仕切壁２５を通過する毎に、水滴を順次小さくして行き、酸素ガスとの接触面積を増すことができる。それ故、酸素溶解水の生成構造が簡単になり、その生成構造によって水中に酸素ガスを混入し易く、マイナスイオンを生成し易くなって、多量の酸素を溶解し、多量のマイナスイオンを含んだ高濃度の酸素溶解水を簡単に生成できて、ランニングコストも安価になる。なお、酸素溶解水滴形成用仕切壁に設ける各貫通穴を小さくしても、１枚のみでは形成する水滴の大きさが均一にならず、小さな水滴を多量に作れない。
【００３１】
このようにして生成した酸素溶解水を貯える酸素溶解水貯水室内に、グラファイトシリカを主原料とするセラミックボール３０を多数充填した酸素溶解水クラスター変換部２６を設けておくと、多量の酸素を溶解して、多量のマイナスイオンを含ませた酸素溶解水にセラミックボール３０で発生した遠赤外線を当てて、酸素溶解水のクラスターを小さくできる。しかも、クラスターを小さくすると、酸素溶解度を高めることができる。それ故、植物の根から吸収され易く、植物の生長に好適な酸素溶解水にすることができる。そして、酸素溶解水貯水室の酸素溶解水クラスター変換部２６より上部を水位変動部２７にして、酸素溶解水の水位を変動させても、セラミックボール３０を多数充填したクラスター変換部２６の内部に絶えず酸素溶解水を満たしておくと、酸素ガスの大きな気泡がセラミックボール３０に邪魔されて、下部の給水部２８まで通過することがない。それ故、取出口２０から給水される酸素溶解水に溶解状態にない酸素ガスの大きな気泡が含まれず、酸素ガスの利用率を上げることができる。
【００３２】
又、ケース４を構成する側壁用円筒体５の外周面のほぼ全体に、グラファイトシリカを主原料として被覆した酸素溶解水クラスター変換部３１を設けておくと、そのクラスター変換部３１で発生した遠赤外線をケース４の側壁を通過させて、内部の酸素溶解水に当てて、やはりクラスターを小さくし、小クラスターの酸素溶解水にすることができる。
【００３３】
そこで、水源として、例えば酸素溶解度Ｄ０７の地下水を用い、酸素溶解水生成器３に対し、その地下水を水圧３ｋｇ／平方ｃｍにして毎分４０リットル供給し、酸素ガスをガス圧４ｋｇ／平方ｃｍにして供給すると、酸素溶解度Ｄ０２５の酸素溶解水を得ることができる。
【００３４】
このようにして、酸素溶解水生成器３により多量の酸素を溶解し、多量のマイナスイオンを含ませた小クラスターの酸素溶解水を生成し、給水部２８の取水口２０から給水配管４４によりスリール弁等の開閉自在弁５３を介して、水耕栽培の水路、点滴栽培の口部等へ給水し、植物の根から吸収させることにより、植物の生長を促進し、品質の向上、収穫量の増加を計ることができる。それ故、酸素溶解水生成器３を備えると、酸素溶解水生成装置１を簡単に製造できる。なお、ポンプアップした地下水はスリール弁等の常閉弁５４を開くことにより直接給水配管４４へ送水できる。又、酸素溶解水生成器３に貯まった酸素溶解水等が必要のない場合、スリール弁等の常閉弁５５を開くことにより排水することもできる。
【図面の簡単な説明】
【００３５】
【図１】本発明を適用した酸素溶解水生成装置の酸素溶解水生成部を示す正面図である。
【図２】同酸素溶解水生成装置の構成を示すブロック図である。
【図３】同酸素溶解水生成部に備える酸素溶解水生成器のケースの側壁を構成する側壁用円筒体の正面図である。
【図４】同側壁用円筒体の平面図である。
【００３６】
【図５】同酸素溶解水生成器のケースの上壁を構成する上蓋と、その上蓋に設置したＯリング、３本の支持棒等の設置状態を示す底面図である。
【図６】同酸素溶解水生成器のケースの下壁を構成する下蓋と、その下蓋に設置したＯリング、３本の支持棒等の設置状態を示す平面図である。
【図７】同酸素溶解水生成器を支える支持台の平面図である。
【符号の説明】
【００３７】
１…酸素溶解水生成装置  ２…酸素溶解水生成部  ３…酸素溶解水生成器  ４…ケース  ５…側壁用円筒体  ６、７…上下開口  ８、９…上下蓋  １０、１１…円形中央部  １２、１３…結合用鍔部  １４…水取入口  １５…ガス取入口  １６、２３…支持棒  １７、５６…円形溝  １８、５７…Ｏリング  １９、２４…結合用貫通穴  ２０…水取出口  ２１…水位検出用チューブ  ２２…チューブ接続口  ２５…酸素溶解水滴形成用仕切壁  ２６、３１…酸素溶解水クラスター変換部  ２７…水位変動部  ２８…給水部  ２９…かご体  ３０…セラミックボール  ３２…結合棒  ３５…支持台  ３８、４０…接続用屈曲管継手  ３９、４１…接続用三方管継手  ４２…供給配管  ４３…酸素ガス配管  ４４…給水管  ４５…ポンプ  ４８…酸素ボンベ  ４９…レギュレーター  ５０…電磁弁  ５１…水位センサー  ５２…コントローラ
【図１】
2008104938.tif 000004
【図２】
2008104938.tif 000005
【図３】
2008104938.tif 000006
【図４】
2008104938.tif 000007
【図５】
2008104938.tif 000008
【図６】
2008104938.tif 000009
【図７】
2008104938.tif 000010